(57)【特許請求の範囲】
【請求項１】
トラクタに３点リンク手段を介して支持枠を装着し、この支持枠にオーガを昇降自在に有する穴あけ機構を設けており、前記穴あけ機構は、支持枠に支持されていてガイド部材を有する機枠と、前記ガイド部材に昇降自在に設けられていて油圧シリンダによって昇降される昇降台と、この昇降台に設けられた油圧モータと、この油圧モータの出力軸に設けられた前記オーガとを有しており、前記ガイド部材を支持枠より外側方に位置する機枠の外側端に配置し、前記オーガをガイド部材より外側方に配置していることを特徴とする穴あけ機。
【請求項２】
前記支持枠は前面に、下部の左右両側にロアリンク連結部を、中途高さの左右中央にトップリンク連結部を、このトップリンク連結部より上方の穴あけ機構用操作手段をそれぞれ設けていることを特徴とする請求項１に記載の穴あけ機。
【請求項３】
前記穴あけ機構を支持枠の左右側部の一方又は両方に設けていることを特徴とする請求項１又は２に記載の穴あけ機。
【請求項４】
前記穴あけ機構の機枠を支持枠に縦軸を介して左右揺動自在に支持し、機枠と支持枠との間に、穴あけ機構を左右一方に揺動した位置で固定するロック手段を有することを特徴とする請求項１又は２に記載の穴あけ機。
【請求項５】
前記機枠は縦軸に支持される支持腕を有し、この支持腕を長さ調整自在に構成していることを特徴とする請求項４に記載の穴あけ機。
【請求項６】
前記穴あけ機構は、前後間隔をおいて位置する一対のガイド部材に対して、外側にオーガを及び／又は内側に油圧シリンダを三角配置していることを特徴とする請求項１〜５のいずれか１項に記載の穴あけ機。
【請求項７】
前記支持枠の下部に底を多孔材で形成した長尺物載置用の荷台を折畳み自在に設けていることを特徴とする請求項１〜６のいずれかに記載の穴あけ機。
【請求項８】
前記荷台に支持枠自立用のスタンドを折畳み自在に設けていることを特徴とする請求項７に記載の穴あけ機。
【請求項９】
前記支持枠の上部に長尺物倒れ防止用のガイド手段を設けていることを特徴とする請求項１〜８のいずれかに記載の穴あけ機。
【発明の詳細な説明】
【０００１】
【発明の属する技術分野】
本発明は、主に、地面に杭、支柱等を立てるための穴を形成する穴あけ機に関する。
【０００２】
【従来の技術】
地面に所定の間隔で穴を掘削する穴あけ機としては、特開平１１ー１２５０８５号公報に開示されているように、移動車体に柱体を装着し、この柱体に上下動枠を昇降自在に設け、この上下動枠に左右一対の枠体を左右方向移動自在に設け、この各枠体にオーガを設けて構成されている。
【０００３】
【発明が解決しようとする課題】
前記従来技術の穴あけ機は、移動車体にクローラ走行装置を採用した専用機であり、移動車体を変更することが困難であり、一般農家で所有しているトラクタに装着することができなく、また、左右一対の穴を同時に掘削できるが、左右どちらの穴でも１つのオーガで形成する、ということを可能にすることは困難になっている。
本発明は、このような従来技術の問題点を解決できるようにした穴あけ機を提供することを目的とする。
【０００４】
本発明は、オーガを昇降自在に有する支持枠をトラクタに３点リンク手段を介して装着することにより、トラクタを利用して構成できるようにした穴あけ機を提供することを目的とする。
本発明は、トラクタに３点リンク手段を介して装着した支持枠に、オーガを左右揺動自在に支持することにより、１つのオーガで左右どちら側にでも穴を形成できるようにした穴あけ機を提供することを目的とする。
【０００５】
【課題を解決するための手段】
本発明における課題解決のための第１の具体的手段は、トラクタ２に３点リンク手段３を介して支持枠４を装着し、この支持枠４にオーガ５を昇降自在に有する穴あけ機構６を設けていることである。
これによって、トラクタ用汎用インプルメントとしてトラクタ２に装着して、穴あけ作業に共することができる。
本発明における課題解決のための第２の具体的手段は、第１の具体的手段に加えて、前記支持枠４は前面に、下部の左右両側にロアリンク連結部７を、中途高さの左右中央にトップリンク連結部８を、このトップリンク連結部８より上方の穴あけ機構６用操作手段９をそれぞれ設けていることである。
【０００６】
これによって、３点リンク手段３との連結が容易にでき、トラクタ２上から操作手段９の操作が可能となり、穴あけ機構６の作業操作が容易になる。
本発明における課題解決のための第３の具体的手段は、第１又は２の具体的手段に加えて、前記穴あけ機構６を支持枠４の左右側部の一方又は両方に設けていることである。
これによって、穴あけ作業を左右一方のみにも、左右同時にも行うように構成することが可能になる。
【０００７】
本発明における課題解決のための第４の具体的手段は、第１又は２の具体的手段に加えて、前記穴あけ機構６の機枠１２を支持枠４に縦軸１３を介して左右揺動自在に支持し、機枠１２と支持枠４との間に、穴あけ機構６を左右一方に揺動した位置で固定するロック手段１４を有することである。
これによって、穴あけ機構６は１台だけで、左右どちら側にも穴をあけることができ、安価に製作することができる。
本発明における課題解決のための第５の具体的手段は、第４の具体的手段に加えて、前記機枠１２は縦軸１３に支持される支持腕１５を有し、この支持腕１５を長さ調整自在に構成していることである。
【０００８】
これによって、穴あけ機構６を左右位置調整でき、トラクタ２の走行軌跡に対する穴の左右方向位置が変更可能になる。
本発明における課題解決のための第６の具体的手段は、第１〜５のいずれかの具体的手段に加えて、前記穴あけ機構６は、油圧モータ１６の出力軸１６Ａにオーガ５を設け、この油圧モータ１６を油圧シリンダ１７で昇降自在にしていることである。
これによって、オーガ５の駆動及び昇降を油圧で行うことができる。
【０００９】
本発明における課題解決のための第７の具体的手段は、第６の具体的手段に加えて、前記穴あけ機構６は、オーガ５を昇降自在に案内するガイド部材１８を機枠１２に設け、前記油圧シリンダ１７をガイド部材１８と平行に配置していることである。
これによって、オーガ５を昇降を円滑にかつ確実に行うことができる。
本発明における課題解決のための第８の具体的手段は、第６の具体的手段に加えて、前記穴あけ機構６は、前後間隔をおいて位置するガイド部材１８に対して、外側にオーガ５を及び／又は内側に油圧シリンダ１７を三角配置していることである。
【００１０】
これによって、穴あけ機構６の負荷バランスを良好にし、かつ前後幅をコンパクトにすることが可能になる。
本発明における課題解決のための第９の具体的手段は、第１〜８のいずれかの具体的手段に加えて、前記支持枠４の下部に長尺物１９載置用の荷台２０を設けていることである。
これによって、トラクタ２に装着された支持枠４の荷台２０に長尺物１９を載置して運搬することができ、オーガ５によって形成した穴に挿入する長尺物１９を、穴あけ作業と並行して簡便に運ぶことができる。
【００１１】
本発明における課題解決のための第１０の具体的手段は、第９の具体的手段に加えて、前記支持枠４に対して荷台２０を折畳み自在に設けていることである。
これによって、長尺物１９の運搬が不要なときには、荷台２０を折畳んでおいて、障害にならないようにしておくことができる。
本発明における課題解決のための第１１の具体的手段は、第９又は１０の具体的手段に加えて、前記荷台２０の底を多孔材２２で形成していることである。
これによって、運搬中の長尺物１９の下部を定置化でき、長尺物１９が抜き取った杭等である場合に、土石を荷台２０上に溜めることなく落下させることが可能になる。
【００１２】
本発明における課題解決のための第１２の具体的手段は、第９〜１１のいずれかの具体的手段に加えて、前記荷台２０に支持枠４自立用のスタンド２３を折畳み自在に設けていることである。
これによって、穴あけ機１をトラクタ２から外して自立させることができ、トラクタ２に対する穴あけ機１の着脱が容易になる。
本発明における課題解決のための第１３の具体的手段は、第１〜１２のいずれかの具体的手段に加えて、前記支持枠４の上部に長尺物倒れ防止用のガイド手段２１を設けていることである。
【００１３】
これによって、荷台２０に長尺物１９を載置して運搬する際に、長尺物１９の上部の揺れを規制して安定化することができる。
【００１４】
【発明の実施の形態】
以下、本発明の実施の形態を図面に基づいて説明する。
図１〜４において、１はトラクタ２に３点リンク手段３を介して装着された穴あけ機であり、３本の縦部材４Ａを上下の横部材４Ｂで連結して四角枠形状に形成した支持枠４を有している。前記３点リンク手段３はトラクタ２の油圧装置によって昇降自在であり、支持枠４の垂直度（傾斜角度）は３点リンク手段３で調整できる。
【００１５】
前記支持枠４の前面には、下部の左右両側にロアリンク連結部７を、中途高さの左右中央にトップリンク連結部８をそれぞれ設けており、左右各ロアリンク連結部７にはロアリンク３Ａが連結され、トップリンク連結部８にはトップリンク３Ｂが連結されている。
また、支持枠４は前面のトップリンク連結部８より上方の位置には、穴あけ機構６を操作するために操作手段９が設けられている。この操作手段９は、トラクタ２の油圧ポンプから後述する油圧モータ１６及び油圧シリンダ１７へ供給する圧油を制御する２つのコントロールバルブ９Ａと、この各コントロールバルブ９Ａを操作する操作レバー９Ｂ等を有している。
【００１６】
前記操作手段９は、支持枠４の前面の右又は左の縦部材４Ａに装着しておいてもよいが、穴あけ機構６が左右位置変更可能であるので、作業者がトラクタ２上から左右どちら側から後を振り向いても、操作レバー９Ｂを容易に操作できるように、中央に配置している。
前記穴あけ機構６は、上下支持板２６をミガキ棒等の杆材で形成された前後一対のガイド部材１８で連結し、上下支持板２６から側方へ支持腕１５を突出して機枠１２が形成されており、支持腕１５の先端が支持枠４の上下横部材４Ｂに設けた取付け板２７に、縦軸１３を介して揺動自在に支持されている。
【００１７】
上下取付け板２７は上下横部材４Ｂより後方に突出しており、支持腕１５は横部材４Ｂと重合する高さに位置し、上下各取付け板２７は上下２枚の板で形成され、支持腕１５を上下に挟んでいる。
上取付け板２７と支持腕１５との間には、穴あけ機構６を左右一方に揺動（オフセット）した位置で固定するロック手段１４が設けられている。このロック手段１４はロックピン１４Ａ及び上取付け板２７に形成したピン穴１４Ｂ等で形成され、図２、３に実線で示すように、穴あけ機構６を左側に揺動して、支持腕１５を横部材４Ｂの左側部分と重合した状態で、取付け板２７及び支持腕１５にロックピン１４Ａを貫通することにより、穴あけ機構６の位置を固定する。
【００１８】
穴あけ機構６を右側へ位置変更する場合は、ロックピン１４Ａを抜いてロック手段１４を解除して、穴あけ機構６を縦軸１３回りに揺動し、揺動した支持腕１５と取付け板２７の右側のピン穴１４Ｂとにロックピン１４Ａを貫通する（図２、３に２点鎖線で示す）。
前記穴あけ機構６は、一対のガイド部材１８に昇降台２８が摺動昇降自在に支持されており、この昇降台２８は上下２枚の板材２８Ａとガイド部材１８に嵌合する嵌合部材２８Ｂ等で形成されていて、その左右方向外側部分には油圧モータ１６が取付けられ、また、昇降台２８の左右方向内側部分には油圧シリンダ１７のシリンダチューブ１７Ａの下部が連結されている。
【００１９】
前記油圧シリンダ１７は、ピストンロッド１７Ｂの先端（下端）が下側の取付け板２７に連結され、伸縮によってシリンダチューブ１７Ａが上下動するようになっており、シリンダチューブ１７Ａの上下動により、昇降台２８を介して油圧モータ１６が昇降される。
前記油圧モータ１６の出力軸１６Ａには、オーガ（ドリル）５が連結具を介して着脱自在に連結されている。このオーガ５は形成する穴の径等に応じて変更することができる。
【００２０】
前記オーガ５、油圧シリンダ１７及びガイド部材１８は軸心が平行に配置され、平面視において、前後一対のガイド部材１８に対して、油圧モータ１６及びオーガ５は左右方向外側で三角配置され、油圧シリンダ１７は内側で三角配置されている。
前後一対のガイド部材１８の軸心を結ぶ中心線上に、前記オーガ５又は油圧シリンダ１７を配置することも可能であるが、３部材を直線上に並べると、前後寸法が大きくなり、また、オーガ５側と油圧シリンダ１７側との負荷バランスが採り難くなる。そこで前記ガイド部材１８を挟んで、オーガ５と油圧シリンダ１７とを配置する方が好ましい。
【００２１】
２９は機枠１２に設けられたカバーであり、油圧モータ１６、ガイド部材１８及び昇降台２８の周囲を覆っている。
支持枠４の背面下部には、長尺物１９載置用の荷台２０が折畳み自在に設けられ、支持枠４の背面上部には、長尺物倒れ防止用のガイド手段２１が設けられている。
支持枠４の背面には左右下部に一対のブラケット３０が設けられていて、荷台２０の左右各前部が前後ピン３１、３２によって連結されており、前ピン３１を外すことにより、荷台２０は後ピン３２を中心に回動して支持枠４に沿うように折り畳める（図４に１点鎖線で示す状態）。
【００２２】
図示の穴あけ機１は防風ネットの杭立て作業に最適に構成されたものである。例えば、馬鈴薯やたばこ等の新芽は風によって損傷を受け易いので、畝に沿って防風ネットを張る必要があり、その防風ネットは畝に沿って一定間隔で穴をあけ、その穴に杭を立て、その杭に防風ネットを取付けるようになっている。従って、前記長尺物１９は例えば、防風網を取付けるための杭（支柱）である。
前記荷台２０は、オーガ５によって形成した穴に挿入する長尺物１９を、穴あけ作業と並行して運ぶことができるように、また、穴から抜き取った長尺物１９を運ぶことができるように設けられている。
【００２３】
前記穴あけ機構６は、オーガ５を最上位置まで上昇させたときにオーガ５の下端は荷台２０より上方になるように構成されており、荷台２０が存在しても、オーガ５を左右位置変更可能であり、オーガ５が左右一側に位置しているとき、荷台２０を図４に示すように支持枠４に沿うように折り畳むことができ、圃場間を移動するときに、支持枠４の後側突出量を少なくして、障害物に当たらないようにしている。
前記荷台２０の底は多孔材２２で形成されている。穴に挿入する長尺物１９は下端部が尖端形状になっており、前記多孔材２２の孔は長尺物１９の尖端と係合して、移動中の振動により長尺物１９がズレ動かないように規制し、また、穴から抜き取った長尺物１９に付着していた土が落ちても、多孔材２２の孔から地上に落ちて、荷台２０内に溜まらないようにしている。
【００２４】
また、前記荷台２０の下面には、支持枠４自立用のスタンド２３が折畳み自在に設けられている。穴あけ作業中は移動の障害にならないように、スタンド２３は折り畳まれ、穴あけ機１を使用しないとき、穴あけ機１を自立させるためにスタンド作用状態にされる。
トラクタ２は３点リンク手段３を介してロータリ耕耘機、播種機、薬剤散布機等が装着できる汎用機であり、トラクタ２を各種作業に使用するとき、スタンド２３を作用状態にして、穴あけ機１をトラクタ２から外して自立載置させる。
【００２５】
穴あけ機１は、スタンド２３がなくとも荷台２０の存在によって自立可能であるが、スタンド２３が有る方が、ロアリンク連結部７及びトップリンク連結部８の高さが適正になって、穴あけ機１に対する３点リンク手段３の着脱が容易になる。
長尺物倒れ防止用ガイド手段２１は、支持枠４の左右縦部材４Ａの上端に、側面視略Ｌ字状のパイプ３４を着脱自在に連結し、両パイプ３４の後上端にチェーンを着脱自在に張れるようにしており、長尺物１９の上部が左右方向及び後方へ倒れるのを規制する。
【００２６】
前記穴あけ機１による穴あけ作業は、穴あけ機１がスタンド２３を介して自立設置している状態で、トラクタ２を近づけて３点リンク手段３を支持枠４に連結し、そして、３点リンク手段３を油圧装置で上昇させ、スタンド２３を折畳み、圃場の畝に跨る状態に配置する。
その後、畝間溝内のトラクタ２の後輪の後方に穴あけ機構６を配置し、３点リンク手段３を介して支持枠４を下降して、最上位置のオーガ５の高さを畝間溝の底から数ｃｍの高さ（走行に支障のない高さ）まで下降させる。３点リンク手段３によって支持枠４を傾斜させることができるが、一般的にはオーガ５を垂直に配置する。
【００２７】
この状態で油圧モータ１６を駆動してオーガ５を回転させながら、油圧シリンダ１７を作動してオーガ５をガイド部材１８に沿って下降させる。オーガ５は、例えば実施形態で、７０ｃｍ前後の深さの穴を地面に形成できる。
１つの穴を掘削後、トラクタ２を若干前進させ、荷台２０上から長尺物１９を取り出して前記穴に挿入して立てる。前記穴から所要間隔をおいた位置までトラクタ２を前進させ、次の穴を形成する。
長尺物１９を抜く場合は、杭打ち手順とは逆に、抜いた長尺物１９を荷台２０に載せながら、トラクタ２を後進させればよい。
【００２８】
図５は穴あけ機構６の特に支持腕１５の変形例を示しており、穴あけ機構６の上下支持腕１５は、丸筒又は角筒で内腕１５Ａと外腕１５Ｂの二重筒構造になっており、この支持腕１５は伸縮可能でかつ伸縮した状態でピン３５等でロック可能であり、この支持腕１５を伸縮することにより、穴あけ機構６のオーガ５の左右位置を変更可能になっている。
支持腕１５を伸縮可能にすると、オーガ５の左右位置（杭打ち位置）は、トラクタ２の後輪位置、即ち、トラクタ２の走行軌跡上に設定する他に、走行軌跡から左右方向にずらした位置に設定することも可能になる。
【００２９】
なお、本発明は前記実施の形態に限定されるものではなく、種々変形することができる。例えば、穴あけ機１は、トンネルハウスの支柱を立てるための穴、又は長芋等の植物の植付け用穴等を形成するのに使用したりしてもよく、穴あけ機構６は支持枠４の左右一側又は両側に固定的に取付けたりしてもよい。
また、荷台２０及びガイド手段２１を割愛し、上取付け板２７を大きく形成し、ピン孔１４Ｂを縦軸１３を中心にして円弧状に複数配列形成し、穴あけ機構６を左右２位置だけではなく、途中位置でもロック手段１４による位置決めを可能にしてもよい。
【００３０】
【発明の効果】
以上詳述した本発明によれば、穴あけ機１をトラクタ用汎用インプルメントとしてトラクタ２に装着して、穴あけ作業に共することができる。また、３点リンク手段３との連結が容易にでき、穴あけ作業を左右一方のみにも、左右同時にも行うように構成したり、１台の穴あけ機構６で、左右どちら側にも穴をあけることができるように構成したりすることが可能になる。
【図面の簡単な説明】
【図１】本発明の実施の形態を示す側面図である。
【図２】同背面図である。
【図３】同平面図である。
【図４】全体側面図である。
【図５】機枠の変形例を示す一部断面側面図である。
【符号の説明】
１        穴あけ機
２        トラクタ
３        ３点リンク手段
４        支持枠
５        オーガ
６        穴あけ機構
７        弾圧体
８        縮小ロック手段
９        操作手段
１２      機枠
１３      縦軸
１４      ロック手段
１５      支持腕
１６      油圧モータ
１６Ａ    出力軸
１７      油圧シリンダ
１８      ガイド部材
１９      長尺物
２０      荷台
２１      ガイド手段
２２      多孔板
２３      スタンド
【図１】
0003848856.tif 000002
【図２】
0003848856.tif 000003
【図３】
0003848856.tif 000004
【図４】
0003848856.tif 000005
【図５】
0003848856.tif 000006